(57)【特許請求の範囲】
【請求項１】
少なくとも１つのプロセッサと、
コンピュータプログラムを記憶する少なくとも１つのメモリと、
を備えた装置であって、前記コンピュータプログラムを有する前記少なくとも１つのメモリは、前記少なくとも１つのプロセッサとともに、前記装置に少なくとも、
サービングセルの作動時にデータ送信／受信を再開する際に、前記サービングセルのために周期的チャネル品質指標リソースが構成されている場合、又は前記サービングセルに関する非周期的チャネル品質指標がネットワークアクセスノードから要求された場合、前記サービングセルに関する範囲外レポートを、有効なチャネル品質指標結果が利用可能になる前の一定期間にわたって前記ネットワークアクセスノードにレポートするステップと、
前記一定期間後に、前記サービングセルに関する有効なチャネル品質指標結果を前記ネットワークアクセスノードにレポートするステップと、
を行わせるように構成される、
ことを特徴とする装置。
【請求項２】
前記有効なチャネル品質指標結果がレポートされる前の前記一定期間にわたって最低限の要件が定められる、
ことを特徴とする請求項１に記載の装置。
【請求項３】
前記有効なチャネル品質指標結果は、前記最低限の要件までにレポートされる、
ことを特徴とする請求項２に記載の装置。
【請求項４】
前記装置は、伝送モード９に従って前記ネットワークアクセスノードと通信する、
ことを特徴とする請求項１に記載の装置。
【請求項５】
前記有効なチャネル品質指標結果は、作動後に基準信号を有する最初のサブフレームが利用可能になるまで利用可能である、
ことを特徴とする請求項１に記載の装置。
【請求項６】
前記基準信号は、伝送モード９ではチャネル状態情報基準信号であり、伝送モード９以外の伝送モードではセル固有の基準信号である、
ことを特徴とする請求項５に記載の装置。
【請求項７】
前記装置は、サービングセルが活性化された全ての設定されたセル、又は設定され且つ活性化されたセルのみである時、前記有効なチャネル品質指標結果を有するまで、前記ネットワークアクセスノードに範囲外チャネル品質指標値をレポートする、
ことを特徴とする請求項１に記載の装置。
【請求項８】
前記データ送信／受信を再開する前のギャップが非作動のサービングセルの実際の作動を示しているか、それともサービングセルの再作動を示しているかを判断するための、非作動タイマ及びパワーヘッドルームレポートトリガーをさらに備える、
ことを特徴とする請求項１に記載の装置。
【請求項９】
前記一定期間は、チャネル品質指標測定のための処理時間を含む、
ことを特徴とする請求項１に記載の装置。
【請求項１０】
少なくとも１つのプロセッサとコンピュータプログラムを記憶する少なくとも１つのメモリとを備えた装置によって、サービングセルの作動時にデータ送信／受信を再開する際に、前記サービングセルのために周期的チャネル品質指標リソースが構成されている場合、又は前記サービングセルに関する非周期的チャネル品質指標がネットワークアクセスノードから要求された場合、前記サービングセルに関する範囲外レポートを、有効なチャネル品質指標結果が利用可能になる前の一定期間にわたって前記ネットワークアクセスノードにレポートするステップと、
前記装置によって、前記一定期間後に、前記サービングセルに関する有効なチャネル品質指標結果を前記ネットワークアクセスノードにレポートするステップと、
を含むことを特徴とする方法。
【請求項１１】
前記有効なチャネル品質指標結果がレポートされる前の前記一定期間にわたって最低限の要件が定められる、
ことを特徴とする請求項１０に記載の方法。
【請求項１２】
前記有効なチャネル品質指標結果は、前記最低限の要件までにレポートされる、
ことを特徴とする請求項１１に記載の方法。
【請求項１３】
前記ネットワークアクセスノードにレポートするステップは、伝送モード９に従う、
ことを特徴とする請求項１０に記載の方法。
【請求項１４】
前記有効なチャネル品質指標結果は、作動後に基準信号を有する最初のサブフレームが利用可能になるまで利用可能である、
ことを特徴とする請求項１０に記載の方法。
【請求項１５】
前記基準信号は、伝送モード９ではチャネル状態情報基準信号であり、伝送モード９以外の伝送モードではセル固有の基準信号である、
ことを特徴とする請求項１４に記載の方法。
【請求項１６】
ユーザ装置は、サービングセルが活性化された全ての設定されたセル、又は設定され且つ活性化されたセルのみである時、前記有効なチャネル品質指標結果を有するまで、前記ネットワークアクセスノードに範囲外チャネル品質指標値をレポートする、
ことを特徴とする請求項１０に記載の方法。
【請求項１７】
非作動タイマ及びパワーヘッドルームレポートトリガーを使用することによって、前記データ送信／受信を再開する前のギャップが非作動のサービングセルの実際の作動を示しているか、それともサービングセルの再作動を示しているかを判断するステップをさらに含む、
ことを特徴とする請求項１０に記載の方法。
【請求項１８】
前記一定期間は、チャネル品質指標測定のための処理時間を含む、
ことを特徴とする請求項１０に記載の方法。
【請求項１９】
ユーザ装置からの無線送信を受け取るための受信機を備えた装置であって、前記ユーザ装置は、
サービングセルの作動時にデータ送信／受信を再開する際に、前記サービングセルのために周期的チャネル品質指標リソースが構成されている場合、又は前記サービングセルに関する非周期的チャネル品質指標が前記装置から要求された場合、前記サービングセルに関する範囲外レポートを、有効なチャネル品質指標結果が利用可能になる前の一定期間にわたって前記装置にレポートし、
前記一定期間後に、前記サービングセルに関する有効なチャネル品質指標結果を前記装置にレポートする、
ように構成される、
ことを特徴とする装置。
【請求項２０】
前記装置から前記ユーザ装置に前記有効なチャネル品質指標結果がレポートされる前の前記一定期間にわたって最低限の要件が定められる、
ことを特徴とする請求項１９に記載の装置。
【請求項２１】
前記有効なチャネル品質指標結果は、前記最低限の要件までに前記ユーザ装置から前記装置にレポートされる、
ことを特徴とする請求項１９に記載の装置。
【請求項２２】
前記ユーザ装置は、伝送モード９に従って前記装置と通信する、
ことを特徴とする請求項１９に記載の装置。
【請求項２３】
前記有効なチャネル品質指標結果は、作動後に基準信号を有する最初のサブフレームが利用可能になるまで利用可能である、
ことを特徴とする請求項１９に記載の装置。
【請求項２４】
前記基準信号は、伝送モード９ではチャネル状態情報基準信号であり、伝送モード９以外の伝送モードではセル固有の基準信号である、
ことを特徴とする請求項２３に記載の装置。
【請求項２５】
前記ユーザ装置は、サービングセルが活性化された全ての設定されたセル、又は設定され且つ活性化されたセルのみである時、前記有効なチャネル品質指標結果を有するまで、前記装置に範囲外チャネル品質指標値をレポートする、
ことを特徴とする請求項２３に記載の装置。
【請求項２６】
前記ユーザ装置は、非作動タイマ及びパワーヘッドルームレポートトリガーを採用することにより、前記データ送信／受信を再開する前のギャップが非作動のサービングセルの実際の作動を示しているか、それともサービングセルの再作動を示しているかを判断するようにさらに構成される、
ことを特徴とする請求項１９に記載の装置。
【請求項２７】
前記一定期間は、チャネル品質指標測定のための処理時間を含む、
ことを特徴とする請求項１９に記載の装置。
【請求項２８】
ネットワークアクセスノードにおいて、前記ユーザ装置がサービングセルの作動時にデータ送信／受信を再開する際に、前記サービングセルのために周期的チャネル品質指標リソースが構成されている場合、又は前記サービングセルに関する非周期的チャネル品質指標が前記ネットワークアクセスノードから要求された場合、前記サービングセルに関する範囲外レポートを、有効なチャネル品質指標結果が利用可能になる前の一定期間にわたって前記ユーザ装置から受け取るステップと、
前記一定期間後に、前記サービングセルに関する有効なチャネル品質指標結果を前記ユーザ装置から受け取るステップと、
を含むことを特徴とする方法。
【請求項２９】
前記有効なチャネル品質指標結果がレポートされる前の前記一定期間にわたって最低限の要件が定められる、
ことを特徴とする請求項２８に記載の方法。
【請求項３０】
前記有効なチャネル品質指標結果は、前記最低限の要件までにレポートされる、
ことを特徴とする請求項２８に記載の方法。
【請求項３１】
前記ネットワークアクセスノードにレポートするステップは、伝送モード９に従う、
ことを特徴とする請求項３０に記載の方法。
【請求項３２】
前記有効なチャネル品質指標結果は、作動後に基準信号を有する最初のサブフレームが利用可能になるまで利用可能である、
ことを特徴とする請求項２８に記載の方法。
【請求項３３】
前記基準信号は、伝送モード９ではチャネル状態情報基準信号であり、伝送モード９以外の伝送モードではセル固有の基準信号である、
ことを特徴とする請求項３２に記載の方法。
【請求項３４】
サービングセルが活性化された全ての設定されたセル、又は設定され且つ活性化されたセルのみである時、前記有効なチャネル品質指標結果を有するまで、前記ネットワークアクセスノードに範囲外チャネル品質指標値をレポートする、
ことを特徴とする請求項２８に記載の方法。
【請求項３５】
前記ユーザ装置は、非作動タイマ及びパワーヘッドルームレポートトリガーを採用することにより、前記データ送信／受信を再開する前のギャップが非作動のサービングセルの実際の作動を示しているか、それともサービングセルの再作動を示しているかを判断する、
ことを特徴とする請求項２８に記載の方法。
【請求項３６】
前記一定期間は、チャネル品質指標測定のための処理時間を含む、
ことを特徴とする請求項２８に記載の方法。
【発明の詳細な説明】
【技術分野】
【０００１】
本発明の例示的かつ非限定的な実施形態は、一般に無線通信システム、方法、装置及びコンピュータプログラムに関し、より詳細には、モバイルノードからネットワークアクセスノードにチャネル品質指標情報をレポートすることに関する。
【背景技術】
【０００２】
本節には、特許請求の範囲に記載する本発明に至るまでの背景又は状況を示す。本明細書における説明は、追求できる概念を含んでいることがあるが、この概念は、必ずしも以前に想到、実施又は記述された概念であるとは限らない。従って、本節で説明する内容は、本明細書において特に示さない限り、本出願における説明及び特許請求の範囲にとっての先行技術ではなく、本節に含まれることにより先行技術と認められるものではない。
【０００３】
本明細書及び／又は図面の図で見出すことができる以下の略語については、次のように定義する。
３ＧＰＰ  第３世代パートナーシッププロジェクト
ＢＳ  基地局
ＣＡ  キャリアアグリゲーション
ＣＣ  コンポーネントキャリア
ＣＥ  制御要素
ＣＱＩ  チャネル品質指標
ＣＳＩ  ＲＳ  チャネル状態情報基準信号
ＤＬ  ダウンリンク（ｅＮＢからＵＥ方向）
ｅＮＢ  Ｅ−ＵＴＲＡＮ  Ｎｏｄｅ  Ｂ（進化型Ｎｏｄｅ  Ｂ）
ＥＰＣ  進化型パケットコア
Ｅ−ＵＴＲＡＮ  進化型ＵＴＲＡＮ（ＬＴＥ）
ＦＤＭＡ  周波数分割多元接続
ＧＮＳＳ  全地球的航法衛星システム
ＩＣＯ  装置内共存干渉回避
ＩＭＴＡ  国際移動体電気通信連合
ＩＴＵ−Ｒ  国際電気通信連合−無線通信部門
ＬＴＥ  ＵＴＲＡＮのロングタームエボリューション（Ｅ−ＵＴＲＡＮ）
ＬＴＥ−Ａ  ＬＴＥアドバンスト
ＭＡＣ  媒体アクセス制御（レイヤ２、Ｌ２）
ＳＵ−ＭＩＭＯ  単一ユーザマルチ入力マルチ出力
ＭＭ／ＭＭＥ  モビリティ管理／モビリティ管理エンティティ
ＮｏｄｅＢ  基地局
ＯＦＤＭＡ  直交周波数分割多元接続
Ｏ＆Ｍ  運用及び保守
ＯＯＲ  範囲外
ＰＤＣＰ  パケットデータ収束プロトコル
ＰＨＹ  物理（レイヤ１、Ｌ１）
Ｒｅｌ  リリース
ＲＬＣ  無線リンク制御
ＲＲＣ  無線リソース制御
ＲＲＭ  無線リソース管理
ＳＣｅｌｌ  サービングセル
ＳＧＷ  サービングゲートウェイ
ＳＣ−ＦＤＭＡ  シングルキャリア周波数分割多元接続
ＴＭ  伝送モード
ＵＥ  移動局、移動ノード又は移動端末などのユーザ装置
ＵＬ  アップリンク（ＵＥからｅＮＢ方向）
ＵＰＥ  ユーザプレーンエンティティ
ＵＴＲＡＮ  ユニバーサル地上波無線アクセスネットワーク
【０００４】
１つの最新の通信システムに、進化型ＵＴＲＡＮ（Ｅ−ＵＴＲＡＮ、ＵＴＲＡＮ−ＬＴＥ又はＥ−ＵＴＲＡとも呼ばれる）として知られているものがある。このシステムでは、ＤＬアクセス技術はＯＦＤＭＡであり、ＵＬアクセス技術はＳＣ−ＦＤＭＡである。
【０００５】
１つの興味深い仕様書に、３ＧＰＰ  ＴＳ  ３６．３００、Ｖ８．１１．０（２００９年１２月）、第３世代パートナーシッププロジェクト、技術仕様書グループ無線アクセスネットワーク、進化型ユニバーサル地上波無線アクセス（Ｅ−ＵＴＲＡ）及び進化型ユニバーサル地上波アクセスネットワーク（ＥＵＴＲＡＮ）、全容、ステージ２（リリース８）があり、この使用書はその全体が引用により本明細書に組み入れられる。便宜上、このシステムをＬＴＥ  Ｒｅｌ−８と呼ぶことができる。一般に、大まかに３ＧＰＰ  ＴＳ  ３６．ｘｙｚ（３６．２１１、３６．３１１、３６．３１２など）として与えられる一連の仕様書は、リリース８のＬＴＥシステムを説明しているものと見なすことができる。つい最近、これらの仕様書の少なくとも一部のリリース９バージョンが公開された。
【０００６】
図１Ａは、３ＧＰＰ  ＴＳ  ３６．３００  Ｖ８．１１．０の図４．１を再現したものであり、ＥＵＴＲＡＮシステム（Ｒｅｌ−８）の全体的アーキテクチャを示している。Ｅ−ＵＴＲＡＮシステムは、ＵＥ方向のＥ−ＵＴＲＡＮユーザプレーン（ＰＤＣＰ／ＲＬＣ／ＭＡＣ／ＰＨＹ）及び制御プレーン（ＲＲＣ）のプロトコル終端を提供するｅＮＢを含む。ｅＮＢは、Ｘ２インターフェイスにより相互接続される。ｅＮＢは、Ｓ１インターフェイスによってＥＰＣにも接続され、より具体的には、Ｓ１  ＭＭＥインターフェイスによってＭＭＥに、Ｓ１インターフェイスによってＳ−ＧＷに接続される（ＭＭＥ／Ｓ−ＧＷ４）。Ｓ１インターフェイスは、ＭＭＥ／Ｓ−ＧＷ／ＵＰＥとｅＮＢの間の多対多の関係をサポートする。
【０００７】
ｅＮＢは、以下の機能をホストする。
ＲＲＭのための機能：ＲＲＣ、無線アドミッション制御、接続モビリティ制御、ＵＬ及びＤＬの両方におけるＵＥへの動的リソース割り当て（スケジューリング）
ユーザデータストリームのＩＰヘッダの圧縮及び暗号化
ＵＥ接続時におけるＭＭＥの選択
ＥＰＣ（ＭＭＥ／Ｓ−ＧＷ）へ向けたユーザプレーンデータのルーティング
（ＭＭＥを発信元とする）ページングメッセージのスケジューリング及び送信
（ＭＭＥ又はＯＡＭを発信元とする）ブロードキャスト情報のスケジューリング及び送信
モビリティ及びスケジューリングのための測定及び測定レポート構成
【０００８】
本明細書では、便宜上単純にＬＴＥ−Ａｄｖａｎｃｅｄ（ＬＴＥ−Ａ）と呼ぶ将来的なＩＭＴＡシステムを対象にした３ＧＰＰ  ＬＴＥのさらなるリリース（ＬＴＥ  Ｒｅｌ−１０など）が特に興味深い。これについては、３ＧＰＰ  ＴＲ  ３６．９１３、Ｖ９．１．０（２００９年１２月）、第３世代パートナーシッププロジェクト、技術仕様書グループ無線アクセスネットワーク、ＥＵＴＲＡのさらなる高度化要件（ＬＴＥ−Ａｄｖａｎｃｅｄ）（リリース９）を参照することができる。３ＧＰＰ  ＴＲ  ３６．９１２、Ｖ９．２．０（２０１０年３月）、技術レポート第３世代パートナーシッププロジェクト、技術仕様書グループ無線アクセスネットワーク、Ｅ−ＵＴＲＡのさらなる高度化（ＬＴＥ−Ａｄｖａｎｃｅｄ）（リリース９）の実現可能性研究を参照することもできる。
【０００９】
ＬＴＥ−Ａの目的は、コストを下げるとともにより高いデータレート及びより短いレイテンシによって大幅に強化されたサービスを提供することである。ＬＴＥ−Ａは、３ＧＰＰ  ＬＴＥ  Ｒｅｌ−８無線アクセス技術を拡張及び最適化して、より低いコストでより高いデータレートを提供することに向けて進められている。ＬＴＥ−Ａは、ＬＴＥ  Ｒｅｌ−８との後方互換性を維持しながらＩＭＴ−ＡｄｖａｎｃｅｄのＩＴＵ−Ｒ要件を満たす、より最適化された無線システムになると思われる。
【００１０】
３ＧＰＰ  ＴＲ  ３６．９１３に規定されるように、ＬＴＥ−Ａは、ＬＴＥ  Ｒｅｌ−８のものよりも広いスペクトル割り当て（最大１００ＭＨｚなど）を含む様々なサイズのスペクトル割り当てで動作して、高モビリティでは１００Ｍｂｉｔ／ｓの、低モビリティでは１Ｇｂｉｔ／ｓのピークデータレートを達成するはずである。ＬＴＥ−Ａでは、２０ＭＨｚを超える帯域幅をサポートするためにキャリアアグリゲーション（ＣＡ）を検討すべきことが合意された。ＬＴＥ−Ａでは、２０ＭＨｚを超える伝送帯域幅をサポートするために、２又はそれ以上のコンポーネントキャリア（ＣＣ）を束ねるキャリアアグリゲーションが検討されている。キャリアアグリゲーションは、隣接したものであっても又は隣接していないものであってもよい。この帯域幅拡張としての技術は、ＬＴＥ  Ｒｅｌ−８で行われるような非アグリゲート動作と比較した時に、ピークデータレート及びセルスループットの観点からかなりの利得をもたらすことができる。
【００１１】
端末は、その能力に応じて、１又は複数のコンポーネントキャリアを同時に受け取ることができる。２０ＭＨｚを超える受信能力を備えたＬＴＥ−Ａ端末は、複数のコンポーネントキャリア上の送信を同時に受け取ることができる。ＬＴＥ  Ｒｅｌ−８端末は、コンポーネントキャリアの構造がＲｅｌ−８の仕様に準拠する場合、単一のコンポーネントキャリア上の送信しか受け取ることができない。さらに、ＬＴＥ−ＡシステムにおいてＲｅｌ−８  ＬＴＥ端末を動作可能にすべきであり、Ｒｅｌ−８  ＬＴＥシステムにおいてＬＴＥ−Ａ端末を動作可能にすべきであるという意味で、ＬＴＥ−Ａは、Ｒｅｌ−８  ＬＴＥと後方互換性があることが求められる。
【００１２】
本明細書における説明に大きく関連するものに、３ＧＰＰ  ＴＲ  ３６．８１６、Ｖ１．０．０（２０１０年１１月）、技術レポート第３世代パートナーシッププロジェクト、技術仕様書グループ無線アクセスネットワーク、進化型ユニバーサル地上波無線アクセス（Ｅ−ＵＴＲＡ）、装置内共存干渉回避のためのシグナリング及び手順の研究、（リリース１０）があり、この文献は引用により本明細書に組み入れられる。
【００１３】
３ＧＰＰ  ＴＲ  ３６．８１６  ｖ１．０．０のセクション４に記載されるように、ユーザが様々なネットワーク及びサービスに至る所でアクセスできるようにするために、複数の無線トランシーバを備えたＵＥが増えつつある。例えば、ＵＥは、ＬＴＥ、ＷｉＦｉ及びＢｌｕｅｔｏｏｔｈ（登録商標）トランシーバ、並びにＧＮＳＳ受信機を備えることができる。この結果、これらの同一場所に配置された無線トランシーバ間の共存干渉を回避しようと試みることが１つの課題となる。図３は、３ＧＰＰ  ＴＲ  ３６．８１６  ｖ１．０．０の図４−１を再現したものであり、共存干渉の例を示している。
【先行技術文献】
【非特許文献】
【００１４】
【非特許文献１】３ＧＰＰ  ＴＳ  ３６．３００、Ｖ８．１１．０（２００９年１２月）、第３世代パートナーシッププロジェクト、技術仕様書グループ無線アクセスネットワーク、進化型ユニバーサル地上波無線アクセス（Ｅ−ＵＴＲＡ）及び進化型ユニバーサル地上波アクセスネットワーク（ＥＵＴＲＡＮ）、全容、ステージ２（リリース８）
【非特許文献２】３ＧＰＰ  ＴＲ  ３６．９１３、Ｖ９．１．０（２００９年１２月）、第３世代パートナーシッププロジェクト、技術仕様書グループ無線アクセスネットワーク、ＥＵＴＲＡのさらなる高度化（ＬＴＥ−Ａｄｖａｎｃｅｄ）（リリース９）のための要件（Ｒｅｑｕｉｒｅｍｅｎｔｓ  ｆｏｒ  Ｆｕｒｔｈｅｒ  Ａｄｖａｎｃｅｍｅｎｔｓ  ｆｏｒ  Ｅ−ＵＴＲＡ（ＬＴＥ−Ａｄｖａｎｃｅｄ）（Ｒｅｌｅａｓｅ  ９））
【非特許文献３】３ＧＰＰ  ＴＲ  ３６．９１２、Ｖ９．２．０（２０１０年３月）、技術レポート第３世代パートナーシッププロジェクト、技術仕様書グループ無線アクセスネットワーク、Ｅ−ＵＴＲＡのさらなる高度化（ＬＴＥ−Ａｄｖａｎｃｅｄ）（リリース９）の実現可能性研究（Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ−ＵＴＲＡ  （ＬＴＥ−Ａｄｖａｎｃｅｄ）（Ｒｅｌｅａｓｅ  ９））
【非特許文献４】３ＧＰＰ  ＴＲ  ３６．８１６、Ｖ１．０．０（２０１０年１１月）、技術レポート第３世代パートナーシッププロジェクト、技術仕様書グループ無線アクセスネットワーク、進化型ユニバーサル地上波無線アクセス（Ｅ−ＵＴＲＡ）、装置内共存干渉回避のためのシグナリング及び手順の研究（Ｓｔｕｄｙ  ｏｎ  ｓｉｇｎａｌｌｉｎｇ  ａｎｄ  ｐｒｏｃｅｄｕｒｅ  ｆｏｒ  ｉｎｔｅｒｆｅｒｅｎｃｅ  ａｖｏｉｄａｎｃｅ  ｆｏｒ  ｉｎ−ｄｅｖｉｃｅ  ｃｏｅｘｉｓｔｅｎｃｅ）、（リリース１０）
【非特許文献５】Ｒ４−１０４９３０、ＳＣｅｌｌの作動及び非作動のタイミング要件に関する応答ＬＳ（Ｒｅｓｐｏｎｓｅ  ＬＳ  ｏｎ  Ｔｉｍｉｎｇ  Ｒｅｑｕｉｒｅｍｅｎｔｓ  ｆｏｒ  Ａｃｔｉｖａｔｉｏｎ  ａｎｄ  Ｄｅａｃｔｉｖａｔｉｏｎ  ｏｆ  ＳＣｅｌｌｓ）、３ＧＰＰ  ＴＳＧ−ＲＡＮ  ＷＧ４会議＃５７、米国ジャクソンビル、２０１０年１１月１５日〜１９日
【非特許文献６】３ＧＰＰ  ＴＳＧ−ＲＡＮ２  ＃７２会議Ｔｄｏｃ  Ｒ２−１０６５０７、米国ジャクソンビル、２０１０年１１月１５日〜１９日、議題項目：７．１．１．４、発信元：Ｓａｍｓｕｎｇ社、表題：ＳＣｅｌｌの作動及びＣＱＩレポート（ＳＣｅｌｌ  ａｃｔｉｖａｔｉｏｎ  ａｎｄ  ＣＱＩ  ｒｅｐｏｒｔｉｎｇ）
【非特許文献７】３ＧＰＰ  ＴＳＧ  ＷＧ１会議  ＃６２の２  Ｒ１−１０５５３４、中国西安、２０１０年１０月１１日〜１５日、発信元：Ｎｏｋｉａ  Ｓｉｅｍｅｎｓ  Ｎｅｔｗｏｒｋｓ社、Ｎｏｋｉａ社、表題：伝送モード９及びＤＣＩ  ２Ｃのその他の詳細（Ｒｅｍａｉｎｉｎｇ  Ｄｅｔａｉｌｓ  ｏｆ  Ｔｒａｎｓｍｉｓｓｉｏｎ  Ｍｏｄｅ  ９  ａｎｄ  ＤＣＩ  ２Ｃ）
【非特許文献８】３ＧＰＰ  ＴＳ  ３６．２１１  Ｖ１０．０．０（２０１０年１２月）、技術仕様書第３世代パートナーシッププロジェクト、技術仕様書グループ無線アクセスネットワーク、進化型ユニバーサル地上波無線アクセス（Ｅ−ＵＴＲＡ）、物理チャネル及び変調（Ｐｈｙｓｉｃａｌ  ｃｈａｎｎｅｌｓ  ａｎｄ  ｍｏｄｕｌａｔｉｏｎ）（リリース１０）、セクション６．１０．５、「ＣＳＩ基準信号（ＣＳＩ  ｒｅｆｅｒｅｎｃｅ  ｓｉｇｎａｌｓ）」
【非特許文献９】３ＧＰＰ  ＴＳ  ３６．２１３  Ｖ１０．０．１（２０１０年１２月）、技術仕様書第３世代パートナーシッププロジェクト、技術仕様書グループ無線アクセスネットワーク、進化型ユニバーサル地上波無線アクセス（Ｅ−ＵＴＲＡ）、物理レイヤ手順（Ｐｈｙｓｉｃａｌ  ｌａｙｅｒ  ｐｒｏｃｅｄｕｒｅｓ）（リリース１０）、セクション７．２．３「チャネル品質インジケータ（ＣＱＩ）規定（Ｃｈａｎｎｅｌ  ｑｕａｌｉｔｙ  ｉｎｄｉｃａｔｏｒ  （ＣＱＩ）  ｄｅｆｉｎｉｔｉｏｎ）」
【発明の概要】
【発明が解決しようとする課題】
【００１５】
同じＵＥ内の複数の無線トランシーバが極端に近接することにより、１つの送信機の送信パワーが、別の受信機の受信パワーレベルよりも大幅に高くなることがある。フィルタ技術及び十分な周波数分離により、送信信号が大きな干渉を生じないようにすることもできる。しかしながら、例えば、同じＵＥ内の異なる無線技術が隣接する周波数に作用するようないくつかの共存シナリオでは、最新のフィルタ技術でも十分な除去を実現できないことがある。従って、単一の汎用ＲＦ設計によって干渉問題を解決することが常に可能とは限らないこともあり、別の方法を検討する必要がある。
【課題を解決するための手段】
【００１６】
以下の発明の概要の部分は、例示的かつ非限定的なものにすぎないことを意図している。
【００１７】
本発明の例示的な実施形態を使用することにより、上記の及びその他の問題が克服され、その他の利点が実現される。
【００１８】
本発明の１つの例示的な実施形態では、サービングセルの作動時又は長い装置内共存干渉回避ギャップ後にデータ送信／受信を再開する際に動作するように構成された装置を開示する。装置は、動作時に、装置内共存干渉指標値をネットワークアクセスノードにレポートするかどうかを判断する。その後、装置は、装置内共存干渉指標値をネットワークアクセスノードに送信する。この装置は、セルのためにいずれかの周期的チャネル品質指標リソースが構成されている場合、又はセルの非周期的チャネル品質指標がネットワークアクセスノードから要求された場合、装置内共存干渉指標値を一定期間にわたってネットワークアクセスノードにレポートする。
【００１９】
本発明の別の例示的な実施形態では、サービングセルの作動時又は長い装置内共存干渉回避ギャップ後にデータ送信／受信を再開する際に行われる方法ステップを含む方法を提供する。この方法は、装置内共存干渉指標値をネットワークアクセスノードにレポートするかどうかを判断するステップを含む。その後、この方法は、装置内共存干渉指標値をネットワークアクセスノードに送信するステップを行う。この方法は、セルのためにいずれかの周期的チャネル品質指標リソースが構成されている場合、又はセルの非周期的チャネル品質指標がネットワークアクセスノードから要求された場合、装置内共存干渉指標値を一定期間にわたってネットワークアクセスノードにレポートする。
【００２０】
本発明の別の例示的な実施形態では、コンピュータシステムの動作を制御する動作を行うようにコンピュータシステムのデジタル処理装置によって実行可能な機械可読命令のプログラムを記憶する非一時的コンピュータ可読媒体を提供する。この動作は、サービングセルの作動時又は長い装置内共存干渉回避ギャップ後にデータ送信／受信を再開する際に行われる、装置内共存干渉指標値をネットワークアクセスノードにレポートするかどうかを判断する動作を含む。その後、この非一時的コンピュータ可読媒体は、装置内共存干渉指標値をネットワークアクセスノードに送信する動作を行う。この非一時的コンピュータ可読媒体は、セルのためにいずれかの周期的チャネル品質指標リソースが構成されている場合、又はセルの非周期的チャネル品質指標がネットワークアクセスノードから要求された場合、装置内共存干渉指標値を一定期間にわたってネットワークアクセスノードにレポートする。
【００２１】
本発明の別の例示的な実施形態では、サービングセルの作動時又は装置内共存干渉回避ギャップ後にデータ送信／受信を再開したことに応答する手段を含む装置を提供する。装置内共存干渉指標値をネットワークアクセスノードにレポートするかどうかを判断するために＿＿＿＿＿。装置内共存干渉指標値をネットワークアクセスノードに送信するための手段＿＿＿＿＿、この装置は、セルのためにいずれかの周期的チャネル品質指標リソースが構成されている場合、又はセルの非周期的チャネル品質指標がネットワークアクセスノードから要求された場合、装置内共存干渉指標値を一定期間にわたってネットワークアクセスノードにレポートする。
【図面の簡単な説明】
【００２２】
【図１Ａ】３ＧＰＰ  ＴＳ  ３６．３００の図４．１を再現した、ＥＵＴＲＡＮシステムのアーキテクチャ全体を示す図である。
【図１Ｂ】３ＧＰＰ  ＴＳ  ３６．２１１のテーブル６．１０．５．２−１を再現した、標準サイクリックプレフィクスの場合のＣＳＩ基準信号構成から（ｋ’，ｌ’）へのマッピングを示す図である。
【図１Ｃ】３ＧＰＰ  ＴＳ  ３６．２１１のテーブル６．１０．５．２−２を再現した、拡張サイクリックプレフィクスの場合のＣＳＩ基準信号構成から（ｋ’，ｌ’）へのマッピングを示す図である。
【図１Ｄ】３ＧＰＰ  ＴＳ  ３６．２１１のテーブル６．１０．５．３−１を再現した、ＣＳＩ基準信号サブフレーム構成を示す図である。
【図１Ｅ】３ＧＰＰ  ＴＳ  ３６．２１１のテーブル６．１１．１．１−１を再現した、プライマリ同期信号のルートインデックスを示す図である。
【図１Ｆ】３ＧＰＰ  ＴＳ  ３６．２１３のテーブル７．２．３−０を再現した、ＣＱＩ基準リソースのために想定されるＰＤＳＣＨ伝送スキームを示す図である。
【図１Ｇ】３ＧＰＰ  ＴＳ  ３６．２１３のテーブル７．２．３−１を再現した、４ビットＣＱＩテーブルを示す図である。
【図２】本発明の例示的な実施形態の実施において使用するのに適した様々な電子装置の簡略ブロック図である。
【図３】３ＧＰＰ  ＴＲ  ３６．８１６  ｖ１．０．０の図４−１を再現した、共存干渉の例を示す図である。
【図４Ａ】Ｒ２−１０６５０７からの図１を再現した、ＣＱＩ測定のための処理時間の例を示す図である。
【図４Ｂ】Ｒ２−１０６５０７からの図２を再現した、ＳＣｅｌｌの作動直後にＵＥがＳＣｅｌｌのＣＱＩをレポートできない例を示す図である。
【図４Ｃ】ＴＭ９以外の伝送モードの場合に有効なＣＱＩ期間が存在しない事例を示す図である。
【図５】ＴＭ９を使用する際に利用可能なＣＳＩ  ＲＳサブフレームが存在しない場合がある、ギャップの作動／終了後の長い期間の例を示す図である。
【図６】本発明の例示的な実施形態による、方法の動作、及びコンピュータ可読メモリ上で具体化されるコンピュータプログラム命令の実行結果を示す論理フロー図である。
【発明を実施するための形態】
【００２３】
前書きとして、ＲＡＮ４（Ｒ４−１０４９３０、ＳＣｅｌｌの作動及び非作動のタイミング要件に関する応答ＬＳ、３ＧＰＰ  ＴＳＧ−ＲＡＮ  ＷＧ４会議＃５７、米国ジャクソンビル、２０１０年１１月１５日〜１９日、引用により組み入れられる）では、ｅＮＢが、ＳＣｅｌｌを作動させる作動／非作動ＭＡＣ  ＣＥをサブフレームｎで送信する場合、ＵＥは、サブフレームｎ＋８によって作動するＳＣｅｌｌを有していなければならず、サブフレームｎ＋８よりも前のＳＣｅｌｌの測定を開始する必要はないことが同意されている。従って、ある一定期間にわたり、ＵＥが、ＳＣｅｌｌの作動直後に有効なＣＱＩ結果を有していないことも可能である。
【００２４】
装置内共存干渉回避（ＩＣＯ）のための長いＴＤＭのギャップからデータ送信／受信を再開する際にも、同様の期間が存在する。
【００２５】
３ＧＰＰ  ＴＲ  ３６．８１６  ｖ１．０．０を参照しながら上述した、図３に示す問題点の解決に役立つＲＡＮ２における１つの合意は、いくつかのキャリア又は周波数リソースを使用していないＬＴＥシステムから、ＬＴＥ又は他の何らかの無線信号の送信／受信がいつ恩恵を受けるか、或いはもはや恩恵を受けないかをＵＥがＥ−ＵＴＲＡＮに通知することである。従って、このＵＥの判断は、装置内共存に起因してどの周波数が利用可能（不能）であるかをＵＥが示す、周波数領域多重化（ＦＤＭ）ソリューションの基本アプローチと考えられる。このようなＵＥからのシグナリングに応答して、通常、ｅＮＢは、ＵＥが装置内共存干渉の影響を受けているとレポートしていない周波数へのハンドオーバを行うようにＵＥに命令することができる。このようなアプローチを、ＦＤＭソリューションと呼ぶことができる。一方、これが可能でない場合、時間領域多重化（ＴＤＭ）ソリューションを使用することができる。ＴＤＭソリューションは、問題のある周波数において、スケジュール済みの期間と未スケジュールの期間を交互に繰り返すものである。
【００２６】
しかしながら、全てのＴＴＩにおいて測定のためのＲＳが利用可能である場合、ＵＥによる測定のための処理時間は４ｍｓとなり得る。この点、３ＧＰＰ  ＴＳＧ−ＲＡＮ２  ＃７２会議Ｔｄｏｃ  Ｒ２−１０６５０７、米国ジャクソンビル、２０１０年１１月１５日〜１９日、議題項目：７．１．１．４、発信元：Ｓａｍｓｕｎｇ社、表題：ＳＣｅｌｌの作動及びＣＱＩレポート（引用により組み入れられる）からの図１を再現した本明細書の図４Ａを参照することができる。また、Ｒ２−１０６５０７からの図２を再現した、ＳＣｅｌｌが作動した直後にＵＥがＳＣｅｌｌのＣＱＩをレポートできない事例を示す本明細書の図４Ｂを参照することもできる。Ｒ２−１０６５０７に記載されるように、ＵＥが、たとえ有効な測定結果を有していなくてもＣＱＩを送信するかどうかが問題となる。Ｒ２−１０６５０７では、ＵＥが、たとえ測定結果を有していなくてもＣＱＩを送信する必要がある場合、レポートする唯一の論理ＣＱＩ値を、ＣＱＩ＝０（すなわち、範囲外つまりＯＯＲ）とすることが想定されている。従って、これは、「ＣＱＩ送信を行わないこと」と「ＯＯＲをレポートすること」の間の選択肢になる。
【００２７】
リリース１０  ＤＬ  ＭＩＭＯでは、ランク８までのＳＵ−ＭＩＭＯ及びＳＵ／ＭＵの動的切り替えをサポートするための伝送モード９（ＴＭ９）が規定されている（例えば、引用により組み入れられる、３ＧＰＰ  ＴＳＧ  ＷＧ１会議  ＃６２の２  Ｒ１−１０５５３４、中国西安、２０１０年１０月１１日〜１５日、発信元：Ｎｏｋｉａ  Ｓｉｅｍｅｎｓ  Ｎｅｔｗｏｒｋｓ社、Ｎｏｋｉａ社、表題：伝送モード９及びＤＣＩ  ２Ｃのその他の詳細を参照されたい）。ＴＭ９に関しては、引用により本明細書に組み入れられる、３ＧＰＰ  ＴＳ  ３６．２１１  Ｖ１０．０．０（２０１０年１２月）、技術仕様書第３世代パートナーシッププロジェクト、技術仕様書グループ無線アクセスネットワーク、進化型ユニバーサル地上波無線アクセス（Ｅ−ＵＴＲＡ）、物理チャネル及び変調（リリース１０）、セクション６．１０．５、「ＣＳＩ基準信号」を参照することもできる。ＥＴＳＩ  ＴＳ  １３６  ２１１に開示されるように、ＣＳＩ基準信号は、ｐ＝１５、ｐ＝１５、１６、ｐ＝１５、．．．、１８及びｐ＝１５、．．．、２２をそれぞれ使用して、１つ、２つ、４つ又は８つのアンテナポート上で送信される。ＣＳＩ基準信号は、Δｆ＝１５ｋＨｚに対してのみ規定されている。シーケンスの生成に関しては、基準信号シーケンス
0005763782.tif 000002
は、
0005763782.tif 000003
によって規定され、式中、
0005763782.tif 000004
であり、ｎsは、無線フレーム内のスロット番号であり、ｌは、スロット内のＯＦＤＭシンボル番号である。ｃ（ｉ）は、疑似ランダムシーケンスである。疑似ランダムシーケンス生成器は、各ＯＦＤＭシンボルの開始時に、ｃinit＝２10・（７・（ｎs＋１ ）＋ｌ＋１・２・ＮＩＤｃｅｌｌ＋１＋２・ＮＩＤｃｅｌｌ＋ＮＣＰで初期化され、ＮＣＰは、標準的なＣＰでは１であり、拡張されたＣＰでは０である。
【００２８】
ＣＳＩ基準信号送信用に構成されたサブフレーム内のリソース要素へのマッピングに関しては、
0005763782.tif 000005
に従うアンテナポートｐ上の基準シンボルとして使用される複素変調シンボル
0005763782.tif 000006
に基準信号シーケンス
0005763782.tif 000007
をマッピングすべきであり、式中、
0005763782.tif 000008
0005763782.tif 000009
0005763782.tif 000010
0005763782.tif 000011
0005763782.tif 000012
0005763782.tif 000013
である。
【００２９】
量（ｋ’，ｌ’）及びｎｓに関する必要条件は、図１Ｂに再現した標準サイクリックプレフィクスの場合のテーブル６．１０．５．２−１、及び図１Ｃに再現した拡張サイクリックプレフィクスの場合のテーブル６．１０．５．２−２によって与えられる。所与のセルにおいて、以下のようなＴＭ９による複数のＣＳＩ基準信号構成を使用することができる。
−  ＵＥがＣＳＩ−ＲＳに関して非ゼロ伝送パワーを想定すべき１つの構成、及び、
−  ＵＥがゼロ伝送パワーを想定すべき０又はそれ以上の構成。
【００３０】
上位層により構成される１６ビットのビットマップＺｅｒｏＰｏｗｅｒＣＳＩ−ＲＳにおいて１に設定される各ビットに関しては、ＵＥは、標準サイクリックプレフィクスの場合のテーブル６．１０．５．２−１及び拡張サイクリックプレフィクスの場合のテーブル６．１０．５．２−２それぞれにおける４つのＣＳＩ基準信号の列に対応するリソース要素に関してゼロ伝送パワーを想定すべきである。最上位ビットは、最も小さなＣＳＩ基準信号構成インデックスに対応し、ビットマップ内の後続するビットは、インデックスが昇順になった構成に対応する。
ＴＭ９によるＣＳＩ基準信号は、以下においてのみ発生することができる。
−  ｎｓ  ｍｏｄ  ２が、標準サイクリックプレフィクスの場合のテーブル６．１０．５．２−１及び拡張サイクリックプレフィクスの場合のテーブル６．１０．５．２−２における条件をそれぞれ満たし、
−  サブフレーム番号が、テーブル６．１０．５．３−１に記載されている条件を満たすダウンリンクスロット。
さらに、以下では、ＴＭ９によるＣＳＩ基準信号を送信することができない。
−  フレーム構成タイプ２の場合における（単複の）特別なサブフレーム内。
−  ＣＳＩ−ＲＳの送信が、同期信号、ＰＢＣＨ、又はＳｙｓｔｅｍＩｎｆｏｒｍａｔｉｏｎＢｌｏｃｋＴｙｐｅ１メッセージの送信と衝突する場合。
−  ページングメッセージの送信用に構成されたサブフレーム内。
【００３１】
Ｓ＝｛１５｝、Ｓ＝｛１５，１６｝、Ｓ＝｛１７，１８｝、Ｓ＝｛１９，２０｝又はＳ＝｛２１，２２｝であるセットＳ内のいずれかのアンテナポート上でＣＳＩ基準信号の送信に使用されるリソース要素（ｋ，ｌ）は、
−  同一スロット内のいずれのアンテナポート上においてもＰＤＳＣＨの送信に使用すべきでなく、
−  同一スロット内のＳ内のアンテナポート以外のいずれのアンテナポート上においてもＣＳＩ基準信号に使用すべきでない。
【００３２】
ＣＳＩ基準信号サブフレーム構成に関しては、ＴＭ９は、図１Ｄとして添付するテーブル６．１０．５．３−１に、セル固有のサブフレーム構成期間ＴＣＳＩ−ＲＳ、及びＣＳＩ基準信号の発生を表すセル固有のサブフレームオフセットΔＣＳＩ−ＲＳを列挙することを定めている。パラメータＩＣＳＩ−ＲＳは、ＵＥが非ゼロ伝送パワーを想定すべきＣＳＩ基準信号のため、及びＵＥがゼロ伝送パワーを想定すべきＣＳＩ基準信号のために別個に構成することができる。ＣＳＩ基準信号を含むサブフレームは、以下の数式を満たすものとする。
0005763782.tif 000014
【００３３】
ＴＭ９における同期信号に関しては、ＬＴＥ／ＬＴＥ−Ａは、５０４個の一意の物理レイヤセル識別情報を規定する。これらの物理レイヤセル識別情報は、各グループが３つの一意の識別情報を含む１６８個の一意の物理レイヤセル識別情報グループに分類される。この分類は、各物理レイヤセル識別情報が、唯一の物理レイヤセル識別情報グループの一部となるように行われる。従って、物理レイヤセル識別情報
0005763782.tif 000015
は、物理レイヤセル識別情報グループを表す０〜１６７の範囲内の数字
0005763782.tif 000016
、及び物理レイヤセル識別情報グループ内の物理レイヤ識別情報を表す０〜２の範囲内の数字
0005763782.tif 000017
によって一意に定められる。
【００３４】
プライマリ同期信号に関しては、ＴＭ９に従ってシーケンスが生成され、この場合、プライマリ同期信号には、以下の数式に従う周波数領域Ｚａｄｏｆｆ−Ｃｈｕシーケンスから生成されたシーケンスｄ（ｎ）が使用される。
0005763782.tif 000018
式中、Ｚａｄｏｆｆ−Ｃｈｕルートシーケンスインデックスｕは、図１Ｅとして再現するテーブル６．１１．１．１−１により与えられる。
【００３５】
ＴＭ９によるチャネル品質インジケータ（ＣＱＩ）は、３ＧＰＰ  ＴＳ  ３６．２１３  Ｖ１０．０．１（２０１０年１２月）、技術仕様書第３世代パートナーシッププロジェクト、技術仕様書グループ無線アクセスネットワーク、進化型ユニバーサル地上波無線アクセス（Ｅ−ＵＴＲＡ）、物理レイヤ手順（リリース１０）、セクション７．２．３「チャネル品質インジケータ（ＣＱＩ）規定」に定められる。
【００３６】
ＴＭ９によれば、図１Ｆとして再現するテーブル７．２．３−１に、ＣＱＩインデックス及びこれらの解釈が与えられている。ＵＥは、時間及び周波数における無制限の観測間隔に基づいて、アップリンクサブフレームｎでレポートされるＣＱＩ値毎に、テーブル７．２．３−１における１〜１５の間の以下の条件を満たす最も高いＣＱＩインデックスを導出し、或いはＣＱＩインデックス１がこの条件を満たさない場合には、ＣＱＩインデックス０を導出するものとする。
−  ＣＱＩインデックスに対応する変調スキームと伝送ブロックサイズを組み合わせた、ＣＱＩ基準リソースと呼ばれるダウンリンク物理リソースブロックのグループを占める単一のＰＤＳＣＨ伝送ブロックを、０．１以下の伝送ブロック誤り率で受け取ることができること。
【００３７】
ＴＭ９及びフィードバックレポートモードでは、ＵＥは、アップリンクサブフレームｎでレポートするＣＱＩ値を計算するためのチャネル測定結果を、チャネル状態情報（ＣＳＩ）基準信号のみに基づいて導出するものとする。他の伝送モード及びそのそれぞれのレポートモードでは、ＵＥは、ＣＱＩを計算するためのチャネル測定結果をＣＲＳに基づいて導出するものとする。
【００３８】
変調スキームと伝送ブロックサイズの組み合わせは、以下の場合にＣＱＩインデックスに対応する。
−  この組み合わせを、関連する伝送ブロックサイズテーブルに従い、ＣＱＩ基準リソースに含めてＰＤＳＣＨ上で伝送されるようにシグナリングできる場合、
−  ＣＱＩインデックスによって変調スキームが示される場合、及び、
伝送ブロックサイズと変調スキームの組み合わせを基準リソースに適用した時に、ＣＱＩインデックスによって示されるコードレートに最も近い可能性のある有効なチャネルコードレートが生じる場合。伝送ブロックサイズと変調スキームの複数の組み合わせが、ＣＱＩインデックスによって示されるコードレートに同等に近い有効なチャネルコードレートを生じる場合、このような伝送ブロックサイズのうちの最も小さなものとの組み合わせのみが適切とされる。
ＣＱＩ基準リソースは、以下のように定められる。
周波数領域では、導出されたＣＱＩ値に関連する帯域に対応する一群のダウンリンク物理リソースブロックによってＣＱＩ基準リソースが定められる。
時間領域では、単一のダウンリンクサブフレームｎ−ｎＣＱＩ＿ｒｅｆによってＣＱＩ基準リソースが定められ、
周期的ＣＱＩレポートの場合には、ｎ−ｎＣＱＩ＿ｒｅｆは、有効なダウンリンクサブフレームに対応するような４以上の最も小さな値であり、
非周期的ＣＱＩレポートの場合には、ｎＣＱＩ＿ｒｅｆは、アップリンクＤＣＩフォーマットの対応するＣＱＩ要求と同じ有効なダウンリンクサブフレーム内に基準リソースが存在するようなものであり、
非周期的ＣＱＩレポートの場合には、ｎＣＱＩ＿ｒｅｆは４に等しく、ダウンリンクサブフレームｎＣＱＩ＿ｒｅｆは、有効なダウンリンクサブフレームに対応し、ダウンリンクサブフレームｎ−ｎＣＱＩ＿ｒｅｆは、ランダムアクセス応答グラント内の対応するＣＱＩ要求を含むサブフレーム後に受け取られる。
ダウンリンクサブフレームは、以下の場合に有効と見なすものとする。
このＵＥのためのダウンリンクサブフレームとして構成され、伝送モード９を除けばＭＢＳＦＮサブフレームでない場合、
ＤｗＰＴＳの長さが７６８０Ｔｓ以下の場合にＤｗＰＴＳフィールドを含まない場合、及び、
このＵＥのために構成された測定ギャップ内に収まらない場合。
ＣＱＩ基準リソースのための有効なダウンリンクサブフレームが存在しない場合、アップリンクサブフレームｎではＣＱＩレポートが省略される。
−  レイヤ領域では、ＣＱＩを条件とするあらゆるＲＩ及びＰＭＩによってＣＱＩ基準リソースが定められる。
【００３９】
ＣＱＩ基準リソースでは、ＵＥは、ＣＱＩインデックスを導出するために以下を想定するものとする。
・最初の３つのＯＦＤＭシンボルが制御シグナリングによって占められること。
・プライマリ又はセカンダリ同期信号又はＰＢＣＨにより使用されるリソース要素が存在しないこと。
・非ＭＢＳＦＮサブフレームのＣＰ長。
・冗長バージョン０。
・チャネル測定にＣＳＩ−ＲＳを使用する場合、ＰＤＳＣＨ  ＥＰＲＥのＣＳＩ−ＲＳ  ＥＰＲＥに対する比率が、セクション７．２．５で与えられているものであること。
・図１Ｆとして再現したテーブル７．２．３−０によって与えられるＰＤＳＣＨ伝送スキームが、ＵＥのために現在構成されている（デフォルトモードとすることができる）伝送モードに依存すること。
・チャネル測定にＣＲＳを使用する場合、ＰＤＳＣＨ  ＥＰＲＥのセル固有のＲＳ  ＥＰＲＥに対する比率が、以下のように想定すべきρＡを除き、セクション５．２で与えられているものであること。
○  ＵＥが、４つのセル固有のアンテナポートを有する伝送モード２で構成されている場合、又は４つのセル固有のアンテナポートを有する伝送モード３で構成されていて、関連するＲＩが１に等しい場合、あらゆる変調スキームに関してＰＡ＝ＰＡ＋Δｏｆｆｓｅｔ＋１０ｌｏｇ（２）［ｄＢ］であり、
○  それ以外の場合、あらゆる変調スキーム及びあらゆるレイヤ数に関して、ρＡ＝ＰＡ＋Δｏｆｆｓｅｔ［ｄＢ］である。
Δoffsetというシフトは、上位層シグナリングにより構成されるｎｏｍＰＤＳＣＨ−ＲＳ−ＥＰＲＥ−Ｏｆｆｓｅｔというパラメータによって与えられる。
【００４０】
ＴＭ９では、ＣＱＩ測定が、５ｍｓ〜約８０ｍｓの構成可能な周期性を有するＣＳＩ  ＲＳに基づく。従って、図５を参照すると、ギャップの作動／終了後の長い期間にわたり、利用可能なＣＳＩ  ＲＳサブフレームが存在せずに、何らかの周期的ＣＱＩリソースが構成され又は非周期的ＣＱＩが要求されることが可能であると分かる。全体的な期間は、ＣＳＩ  ＲＳの周期性及びその作動後の発生に応じて、４ｍｓよりも大幅に長くなることもある。
【００４１】
Ｒ２−１０６５０７では、ＵＥが作動後の４ｍｓにわたってＣＱＩを伝送しなくてもよくするための、又はＯＯＲ（範囲外）をレポートできるようにするためのいくつかの選択肢が提案された。しかしながら、Ｒ２−１０６５０７では、ＴＭ９及び長いＩＣＯギャップ後の動作再開の場合について対応していなかった。
【００４２】
本発明の例示的な実施形態をさらに詳細に説明する前に、本発明の例示的な実施形態の実施において使用するのに適した様々な電子装置及び装置の簡略ブロック図を示す図２を参照する。図２では、無線ネットワーク１が、Ｎｏｄｅ  Ｂ（基地局）、より詳細にはｅＮＢ１２などのネットワークアクセスノードを介して、ＵＥ１０と呼ぶことができる移動体通信装置などの装置と無線リンク１１を介して通信するようになっている。ネットワーク１は、図１に示すＭＭＥ／ＳＧＷ機能を含むことができるネットワーク制御要素（ＮＣＥ）１４を含むことができ、このＮＣＥ１４は、電話網及び／又はデータ通信網（例えば、インターネット）などのさらなるネットワークとの接続性を提供する。ＵＥ１０は、少なくとも１つのコンピュータ又はデータプロセッサ（ＤＰ）１０Ａなどのコントローラと、コンピュータ命令のプログラム（ＰＲＯＧ）１０Ｃを記憶するメモリ（ＭＥＭ）１０Ｂとして具体化される少なくとも１つの非一時的コンピュータ可読記憶媒体と、１又はそれ以上のアンテナを介してｅＮＢ１２と双方向無線通信を行うための少なくとも１つの好適な無線周波数（ＲＦ）トランシーバ１０Ｄとを含む。ｅＮＢ１２も、少なくとも１つのコンピュータ又はデータプロセッサ（ＤＰ）１２Ａなどのコントローラと、コンピュータ命令のプログラム（ＰＲＯＧ）１２Ｃを記憶するメモリ（ＭＥＭ）１２Ｂとして具体化される少なくとも１つのコンピュータ可読記憶媒体と、（通常、多入力／多出力（ＭＩＭＯ）動作の使用時には複数の）１又はそれ以上のアンテナを介してＵＥ１０と通信するための少なくとも１つの好適なＲＦトランシーバ１２Ｄとを含む。ｅＮＢ１２は、データ／制御パス１３を介してＮＣＥ１４に結合される。パス１３は、図１に示すＳ１インターフェイスとして実装することができる。ｅＮＢ１２は、図１に示すＸ２インターフェイスとして実装できるデータ／制御パス１５を介して別のｅＮＢに接合することもできる。
【００４３】
本発明の例示的な実施形態の説明においては、ＵＥ１０を、ＣＱＩ測定及びレポートユニット又は機能又はモジュール（ＣＱＩ）１０Ｅも含むと想定することができ、ｅＮＢ１２は、ＵＥ１０から受け取られるＣＱＩ情報を受け取って解釈するための相補的ＣＱＩユニット又は機能又はモジュール１２Ｅを含むことができる。また、トランシーバ１０Ｄ（並びに関連するベースバンド回路及びアンテナ）は、図３に示すＬＴＥ  ＲＦ及びＬＴＥベースバンドブロック（及びアンテナ＃１）を表すこともできる。また、ＵＥ１０は、図３の全地球測位システム（ＧＰＳ）ＲＦ及びベースバンドブロック（及び関連するアンテナ＃２）、並びにＢｌｕｅｔｏｏｔｈ（登録商標）（ＢＴ）／ＷｉＦｉ  ＲＦ及びベースバンドブロック（及び関連するアンテナ＃３）の一方又は両方を含むことができる。
【００４４】
以下でより詳細に説明するように、ＰＲＯＧ１０Ｃ及び１２Ｃの少なくとも一方は、関連するＤＰによる実行時に、装置が本発明の例示的な実施形態に従って動作できるようにするプログラム命令を含むと想定される。すなわち、本発明の例示的な実施形態は、ＵＥ１０のＤＰ１０Ａ及び／又はｅＮＢ１２のＤＰ１２Ａによって実行可能なコンピュータソフトウェア又はハードウェア、或いはソフトウェアとハードウェア（及びファームウェア）の組み合わせによって少なくとも部分的に実施することができる。さらに、この点に関して、ＣＱＩユニット１０Ｅ、１２Ｅを、完全に回路内に、又は完全にソフトウェアコードとして、又は回路とソフトウェアコード（及びファームウェア）の組み合わせとして実装することもできる。
【００４５】
一般に、ＵＥ１０の様々な実施形態は、以下に限定されるわけではないが、携帯電話機、無線通信能力を有する携帯情報端末（ＰＤＡ）、無線通信能力を有するポータブルコンピュータ、無線通信能力を有するデジタルカメラなどの画像取り込み装置、無線通信能力を有するゲーム機、無線通信能力を有する音楽保存再生機器、無線インターネットアクセス及び閲覧が可能なインターネット機器、並びにこのような機能の組み合わせを内蔵したポータブル装置又は端末を含むことができる。
【００４６】
コンピュータ可読メモリ１０Ｂ及び１２Ｂは、ローカル技術環境に適したいずれのタイプのものであってもよく、半導体ベースのメモリ素子、ランダムアクセスメモリ、リードオンリメモリ、プログラマブルリードオンリメモリ、フラッシュメモリ、磁気メモリ素子及びシステム、光メモリ素子及びシステム、固定メモリ及び取り外し可能メモリなどのあらゆる好適なデータ記憶技術を使用して実装することができる。データプロセッサ１０Ａ及び１２Ａは、ローカル技術環境に適したいずれのタイプのものであってもよく、非限定的な例として、汎用コンピュータ、専用コンピュータ、マイクロプロセッサ、デジタルシグナルプロセッサ（ＤＳＰ）、及びマルチコアプロセッサアーキテクチャに基づくプロセッサのうちの１又はそれ以上を含むことができる。
【００４７】
本発明の例示的な実施形態によれば、ＳＣｅｌｌの作動時にデータ送信／受信を再開する際に、セルの周期的ＣＱＩレポートがＵＥ１０のために構成されている場合、又はセルの非周期的ＣＱＩがｅＮＢ１２から要求された（標準ＣＱＩが、他の既に作動しているセルに関してレポートされる）場合、ＵＥ１０が、今しがた作動したＳＣｅｌｌのＯＯＲを一定期間にわたってレポートすることができる。長いＩＣＯギャップ後にデータ送信／受信を再開する場合、キャリアアグリゲーション（ＣＡ）が構成されていなければ、周期的ＣＱＩレポートがＵＥ１０のために構成されている場合、又は非周期的ＣＱＩがｅＮＢ１２から要求された場合、ＵＥ１０が、一定期間にわたってＯＯＲをレポートすることができる。ＣＡが構成されている場合、構成されている又は作動している全てのサービングセルにＣＡが適用される。すなわち、ＵＥは、有効なＣＱＩが利用可能な場合には、この有効なＣＱＩをレポートし、有効なＣＱＩが利用可能でない場合には、ＯＯＲをレポートすることができる。その後、ＵＥ１０は、有効なＣＱＩ結果をレポートする。
【００４８】
なお、ＣＱＩレポートは、チャネル状態情報（ＣＳＩ）レポートと呼ぶこともできる。
【００４９】
ＴＭ９の場合、この一定期間は、ＳＣｅｌｌの作動／長いＩＣＯギャップから、最初の利用可能なＣＳＩ  ＲＳサブフレームまでである（場合によっては、ＵＥ１０によるＣＱＩ測定の処理時間を考慮した４ｍｓが加わる）。他の伝送モード（ＴＭ９以外）では、この期間を、ＵＥによるＣＱＩ測定の処理時間とすることができる。
【００５０】
繰り返すが、たとえＵＥ１０がサブフレームｎ＋８よりも前に作動しているＳＣｅｌｌの測定を開始する必要がないことがＲＡＮ４によって示されているとしても、ＵＥの実装によっては、たとえ肯定応答（ＡＣＫ）が送信されたｎ＋４よりも前の時点であっても、ＲＦを再調整してｎ＋８よりも前に測定を開始することができる。ｎ＋４よりも前に測定を開始している場合、ＵＥ１０は、ｎ＋８の時点で有効なＣＱＩ結果を有することができ、ＣＱＩレポートのための追加の「ギャップ」は不要となる。ｎ＋４の後に測定を開始した場合、「ギャップ」のサイズは、ＵＥ１０の実装によって異なる。図４Ｃに示すように、ＣＱＩ測定のためのＣＲＳは、全てのＴＴＩでＴＭ９以外の伝送モードに利用可能であるため、最も長い追加遅延はｎ＋８後の４ｍｓとなる。
【００５１】
ＣＱＩ測定が、（３ＧＰＰ  ＴＳ  ３６．２１１による）５〜８０ｍｓの構成可能な周期性を有する（３ＧＰＰ  ＴＳ  ３６．２１３による）ＣＳＩ  ＲＳに基づくＴＭ９では、図５に示すように、ＵＥがＣＳＩ  ＲＳの機会を逃した場合、有効なＣＱＩが存在しない期間が４ｍｓよりも大幅に長くなる可能性がある。この期間は、最初のサブフレームが利用可能なＣＳＩ  ＲＳを有するまでの期間に、ＵＥ１０によるＣＱＩ測定の処理時間を考慮した４ｍｓを加えたものと同じ長さになり得る。
【００５２】
ＵＥ１０が有効なＣＱＩ結果を有するようになる時点は、伝送モード及びＣＳＩ  ＲＳ構成によって異なる。ｅＮＢ１２の観点からすれば、最低限の要件を獲得するために、ＵＥが有効なＣＱＩ結果を遅くともいつ取得すべきかを明確にすると同時に、改善されたＵＥ１０の実装が有効なＣＱＩをより早くレポートできるようにすることが好ましいと考えられ、これは「終了ＤＲＸ」（不連続受信）に類似する。
【００５３】
従って、ＵＥが有効なＣＱＩ結果を遅くとも有するべき時点、すなわち（ａ）ＴＭ９以外のＴＭでは、作動後４ｍｓ、及び（ｂ）ＴＭ９では、作動後に最初のサブフレームが有効なＣＳＩ  ＲＳを有するようになるまでの期間に４ｍｓを加えた時点を明確にすることが望ましいと考えられる。
【００５４】
別の例示的な実施形態では、ＣＱＩユニット１０Ｅが、ＣＳＩ  ＲＳが最初に発生する前に何もレポートしない。ＵＥ１０及びｅＮＢ１２は、いずれもＣＳＩ  ＲＳのパターンを知っているので、ｅＮＢ１２において復号問題が生じるはずはない。
【００５５】
別の例示的な実施形態では、ＣＱＩユニット１０Ｅが、ＣＳＩ  ＲＳが最初に発生する前に過去の値をレポートする。この実施形態では、ｅＮＢ１２は、未だＣＳＩ  ＲＳが送信されていないことを知っているので、レポートされるＣＱＩが過去のＣＱＩであると想定し、このレポートされる値を使用するか、それとも無視するかを判断することができる。
【００５６】
これにより、ＳＣｅｌｌの作動時又は長いＩＣＯギャップ後にＵＥ１０が送信／受信を再開する際には、有効なＣＱＩ結果をレポートすべきタイミングが明示的に指定され、スケジューリング性能が保証される。従って、改善されたＵＥ１０が有効なＣＱＩ結果をより早く有することができる場合、この実装が有利となり得る。
【００５７】
なお、全ての構成されたセル、又は構成され作動しているセルのみのＣＱＩレポートに関しては、ＳＣｅｌｌの作動時には、ＵＥ１０が有効なＣＱＩを有するまでＯＯＲをレポートすることが最も好ましいと考えられる。
【００５８】
さらに、ギャップが、非作動ＳＣｅｌｌの実際の作動のみに関するのか、それとも再作動にも関するのかについての問題も生じ得る。この点、非作動タイマ及びＰＨＲ（パワーヘッドルームレポート）トリガーが、作動中の又は非作動のＳＣｅｌｌの作動をカバーする。しかしながら、本発明の例示的な実施形態の主題であるＣＱＩレポートを考慮すると、ＳＣｅｌｌが再作動した場合には、ＵＥ１０はＲＦを再調整すべきでなく、従ってＣＱＩレポートのためのギャップを生成すべきでないことが最も好ましいと考えられる。
【００５９】
上記の内容に基づけば、本発明の例示的な実施形態が、ＴＭ９を使用中でありかつ一般にＵＥ１０がＣＳＩ  ＲＳを受け取らずに複数のサブフレームが生じた後にＣＱＩレポートを強化するための方法、装置、及びコンピュータプログラムを提供するものであることが明らかなはずである。
【００６０】
図６は、本発明の例示的な実施形態による、方法の動作及びコンピュータプログラム命令の実行結果を示す論理フロー図である。これらの例示的な実施形態によれば、方法は、ブロック６Ａにおいて、サービングセルの作動時又は長い装置内共存干渉回避ギャップ後にデータ送信／受信を再開する際に、有効なチャネル状態指標結果が遅くとも、（ａ）伝送モード９以外の伝送モードでは作動後４ｍｓで、及び（ｂ）伝送モード９では、作動後の利用可能なチャネル状態情報基準信号を有する最初のサブフレームまでに４ｍｓを加えた時点で利用可能になる場合、セルのためにいずれかの周期的チャネル品質指標リソースが構成されており、又はセルの非周期的チャネル品質指標がネットワークアクセスノードから要求された場合には、一定期間にわたり、チャネル品質指標値をネットワークアクセスノードにレポートしないようにすべきか、過去のチャネル品質指標値をレポートすべきか、それとも範囲外のチャネル品質指標値をレポートすべきかを判断するステップを実行する。ブロック６Ｂにおいて、有効なチャネル品質指標が利用可能な場合には、この有効なチャネル品質指標をレポートし、有効なチャネル品質指標が利用可能でない場合には、チャネル品質指標値をレポートせず、或いは過去のチャネル品質指標値の１つ又は範囲外のチャネル品質指標値をレポートするステップが行われる。
【００６１】
前段落の方法では、一定期間が、チャネル品質指標を測定するための処理時間を含む。
【００６２】
図６及び前段落の方法では、長い装置内共存干渉回避ギャップ後にデータ送信／受信を再開する際に、キャリアアグリゲーションが構成されていなければ、周期的チャネル品質インジケータレポートが構成されている場合、又は非周期的チャネル品質指標が要求された場合、一定期間にわたって範囲外状態をレポートし、キャリアアグリゲーションが構成されていれば、全ての構成された又は作動しているサービングセルにキャリアアグリゲーションを適用する。
【００６３】
少なくとも１つのデータプロセッサにより実行されると、図６及び図６について記述する前段落の方法の実行を含む動作が行われるソフトウェアプログラム命令を含む非一時的コンピュータ可読媒体。
【００６４】
図６に示す様々なブロックは、方法ステップ、及び／又はコンピュータプログラムコードの動作によって生じる動作、及び／又は関連する（単複の）機能を実施するように構成された複数の結合論理回路要素と見なすことができる。
【００６５】
一般に、様々な例示的な実施形態は、ハードウェア又は専用回路、ソフトウェア、ロジック、又はこれらのあらゆる組み合わせで実施することができる。例えば、ハードウェアの形で実施できる態様もあれば、コントローラ、マイクロプロセッサ、又はその他のコンピュータ装置が実行できるファームウェア又はソフトウェアの形で実施できる態様もあるが、本発明はこれらに限定されるものではない。本発明の例示的な実施形態の様々な態様は、ブロック図、フロー図、又は他の何らかの図的記述を使用して図示し説明することができるが、本明細書で説明したこれらのブロック、装置、システム、技術又は方法は、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実現することができると十分に理解されたい。
【００６６】
従って、例示的な実施形態は、プロセッサと、コンピュータプログラムコードを含むメモリとを備えた装置も含む。これらのメモリ及びコンピュータプログラムコードは、プロセッサとともに、サービングセルの作動時又は長い装置内共存干渉回避ギャップ後にデータ送信／受信を再開する際に、有効なチャネル状態指標結果が遅くとも、（ａ）伝送モード９以外の伝送モードでは作動後４ｍｓで、及び（ｂ）伝送モード９では、作動後の利用可能なチャネル状態情報基準信号を有する最初のサブフレームまでに４ｍｓを加えた時点で利用可能になる場合、セルのためにいずれかの周期的チャネル品質指標リソースが構成されており、又はセルの非周期的チャネル品質指標がネットワークアクセスノードから要求された場合には、一定期間にわたり、チャネル品質指標値をネットワークアクセスノードにレポートしないようにすべきか、過去のチャネル品質指標値をレポートすべきか、それとも範囲外のチャネル品質指標値をレポートすべきかを判断することを少なくとも装置に行わせるように構成される。これらのメモリ及びコンピュータプログラムコードは、プロセッサとともに、有効なチャネル品質指標が利用可能な場合には、この有効なチャネル品質指標をレポートし、有効なチャネル品質指標が利用可能でない場合には、チャネル品質指標値をレポートせず、或いは過去のチャネル品質指標値の１つ又は範囲外のチャネル品質指標値をレポートすることを装置に行わせるように構成される。
【００６７】
従って、本発明の例示的な実施形態の少なくともいくつかの態様を、集積回路チップ及びモジュールなどの様々な構成要素内で実施することもでき、また本発明の例示的な実施形態を、集積回路として具体化された装置内で実現することもできると理解されたい。１又は複数の集積回路は、本発明の例示的な実施形態に従って動作するように構成できる１又は複数のデータプロセッサ、１又は複数のデジタルシグナルプロセッサ、ベースバンド回路及び無線周波数回路のうちの１又はそれ以上を具体化するための回路（及び場合によってはファームウェア）を含むことができる。
【００６８】
例示的な実施形態は、サービングセルの作動時又は長い装置内共存干渉回避ギャップ後にデータ送信／受信を再開することに応答して、有効なチャネル状態指標結果が遅くとも、（ａ）伝送モード９以外の伝送モードでは作動後４ｍｓで、及び（ｂ）伝送モード９では、作動後の利用可能なチャネル状態情報基準信号を有する最初のサブフレームまでに４ｍｓを加えた時点で利用可能になる場合、セルのためにいずれかの周期的チャネル品質指標リソースが構成されており、又はセルの非周期的チャネル品質指標がネットワークアクセスノードから要求された場合には、一定期間にわたり、チャネル品質指標値をネットワークアクセスノードにレポートしないようにすべきか、過去のチャネル品質指標値をレポートすべきか、それとも範囲外のチャネル品質指標値をレポートすべきかを判断する手段（ＤＰ  １０Ａ、メモリ１０Ｂ、プログラム１０Ｃ、ＣＱＩ  １０Ｅなど）を備えた装置も含む。この装置は、有効なチャネル品質指標が利用可能な場合には、この有効なチャネル品質指標をレポートし、有効なチャネル品質指標が利用可能でない場合には、チャネル品質指標値をレポートせず、或いは過去のチャネル品質指標値の１つ又は範囲外のチャネル品質指標値をレポートする手段（ＤＰ  １０Ａ、メモリ１０Ｂ、プログラム１０Ｃ、ＣＱＩ  １０Ｅなど）をさらに備える。
【００６９】
添付図面とともに上述の説明を読めば、当業者には、上述の説明に照らして本発明の上述の例示的な実施形態への様々な修正及び適応が明らかになるであろう。しかしながら、本発明の非限定的かつ例示的な実施形態の範囲には、依然としてありとあらゆる修正が含まれる。
【００７０】
例えば、上記では、（ＵＴＲＡＮ−ＬＴＡ−Ａ）システムとの関連において例示的な実施形態を説明したが、本発明の例示的な実施形態は、この１つの特定の種類の無線通信システムのみとの使用に限定されず、本発明の例示的な実施形態を使用して、他の無線通信システム、並びに（例えば、限定的な意味ではなくほんの一例として説明したＬＴＥセルラ、ＬＴＥ−Ａセルラ、ＧＮＳＳ、Ｂｌｕｅｔｏｏｔｈ（登録商標）及びＷｉＦｉ以外の、又はこれらに加えた）異なる技術の組み合わせを使用するシステムで優位性を発揮できると理解されたい。
【００７１】
なお、「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７２】
さらに、説明したパラメータ、動作モード、サブフレーム及びレポートなどは、あらゆる好適な名称によって識別できるので、これらのパラメータ、動作モード、サブフレーム及びレポートなどに使用している様々な名称（例えば、ＣＱＩレポート、ＣＳＩレポート、ＣＳＩ  ＲＳ、ＴＭ９、ＩＣＯなど）は、いかなる点においても限定的なものではない。さらに、様々なチャネルは、あらゆる好適な名称によって識別できるので、これらの様々なチャネルに割り当てている様々な名称（例えば、ＰＤＣＣＨなど）は、いかなる点においても限定的なものではない。
【００７３】
さらに、本発明の様々な非限定的な例示的な実施形態の特徴の一部を、その他の特徴を対応して使用することなく有利に使用することができる。従って、上述の説明は、本発明の原理、教示及び例示的な実施形態を例示したものにすぎず、これらを限定するものではないと見なすべきである。
【符号の説明】
【００７４】
６Ａ：サービングセルの作動時又は長い装置内共存干渉回避ギャップ後にデータ送信／受信を再開する際に、有効なチャネル状態指標結果が遅くとも、（ａ）伝送モード９以外の伝送モードでは作動後４ｍｓで、及び（ｂ）伝送モード９では、作動後の利用可能なチャネル状態情報基準信号を有する最初のサブフレームまでに４ｍｓを加えた時点で利用可能になる場合、セルのためにいずれかの周期的チャネル品質指標リソースが構成されており、又はセルの非周期的チャネル品質指標がネットワークアクセスノードから要求された場合には、一定期間にわたり、チャネル品質指標値をネットワークアクセスノードにレポートしないようにすべきか、過去のチャネル品質指標値をレポートすべきか、それとも範囲外のチャネル品質指標値をレポートすべきかを判断する。
６Ｂ:有効なチャネル品質指標が利用可能な場合には、この有効なチャネル品質指標をレポートし、有効なチャネル品質指標が利用可能でない場合には、チャネル品質指標値をレポートせず、或いは過去のチャネル品質指標値の１つ又は範囲外のチャネル品質指標値をレポートする。
【図１Ａ】
0005763782.tif 000019
【図１Ｂ−１】
0005763782.tif 000020
【図１Ｂ−２】
0005763782.tif 000021
【図１Ｃ−１】
0005763782.tif 000022
【図１Ｃ−２】
0005763782.tif 000023
【図１Ｄ】
0005763782.tif 000024
【図１Ｅ】
0005763782.tif 000025
【図１Ｆ】
0005763782.tif 000026
【図１Ｇ】
0005763782.tif 000027
【図２】
0005763782.tif 000028
【図３】
0005763782.tif 000029
【図４Ａ】
0005763782.tif 000030
【図４Ｂ】
0005763782.tif 000031
【図４Ｃ】
0005763782.tif 000032
【図５】
0005763782.tif 000033
【図６】
0005763782.tif 000034